(57)【要約】ディスペンサ（１）は容器を含む。容器は第１開口部（図示なし）を有するとともに、第１開口部を密封閉鎖する第１閉鎖手段（図示なし）を有する。このディスペンサにおいて、容器は第２開口部（３）を有するとともに、第２開口部を閉鎖する第２閉鎖手段（４）を有することを特徴とする。第２閉鎖手段は押圧手段（５）と、ブリスタパック（６）と、配置手段（８、９）と、密封手段（７、１０）とを含む。押圧手段（５）は第２開口部（３）へ向けて内方へ押圧操作可能とされる。配置手段（８、９）は第２開口部（３）を跨ぐようにブリスタパックを配置する。密封手段（７、１０）は第２開口部をディスペンサの対象とする中身の漏出から十分確実に密封閉鎖する。最終用途において、容器は第１物質を保持するとともに、ブリスタパックは第２物質を保持し、押圧手段が押圧された時にブリスタパックが破裂させられて、ブリスタパックの中身は容器の中身と混合されるように構成及び配置される。
2006512257.tif 000002
【特許請求の範囲】
【請求項１】
第１開口部を有する容器と、第１開口部を密封閉鎖する第１閉鎖手段とを含むディスペンサであって、容器は、
第２開口部と、
第２開口部を閉鎖する第２閉鎖手段とを有しており、第２閉鎖手段は、
第２開口部へ向けて内方へ押圧操作可能な押圧手段と、
ブリスタパックと、
第２開口部を跨ぐようにブリスタパックを配置する配置手段と、
ディスペンサの対象とする中身の漏出から十分確実に第２開口部を密封閉鎖する密封手段とを含み、
最終使用に際して、容器は第１物質を保持するとともに、ブリスタパックは第２物質を保持し、押圧手段が押圧されるとブリスタパックが破裂させられて、ブリスタパックの中身は容器の中身と混合させられるように構成及び配置される
ことを特徴とするディスペンサ。
【請求項２】
ブリスタパックの周縁環体は配置手段により係合させられ、ブリスタパックは破裂させられても破裂させられなくても、密封手段と共に第２開口部の周縁を直接的に密封閉鎖することを特徴とする請求項１に記載のディスペンサ。
【請求項３】
ブリスタパックは第２開口部を跨ぐが密封閉鎖しないように配置手段により第２閉鎖手段内の適切な位置に保持されており、密封手段を含む第２閉鎖手段の他の部品が第２開口部を密封閉鎖することを特徴とする請求項１に記載のディスペンサ。
【請求項４】
第２開口部は容器の基底において下方に面することを特徴とする請求項１又は２に記載のディスペンサ。
【請求項５】
押圧手段は第２閉鎖手段の一体部品である可撓性ダイアフラムの形状をなすことを特徴とする請求項１乃至４のいずれか一項に記載のディスペンサ。
【請求項６】
第２閉鎖手段は防護手段を含み、防護手段は第２閉鎖手段が完全嵌合されたら容器から取り外されることがないようにすることを特徴とする請求項１乃至５のいずれか一項に記載のディスペンサ。
【請求項７】
第２閉鎖手段を完全嵌合させる前、及び必要物質を容器に挿入する前にブリスタパックが付加されるように、第２閉鎖手段は後に取り外し可能に容器に部分嵌合可能とされることを特徴とする請求項６に記載のディスペンサ。
【請求項８】
第２閉鎖手段は部分嵌合させられた時でさえも、第２開口部を取り外し可能且つ密封可能に閉鎖しており、ブリスタパックが載置させられ次に第２閉鎖手段が完全嵌合させられる前に、必要物質は容器に挿入されることを特徴とする請求項６に記載のディスペンサ。
【請求項９】
第２閉鎖手段は実質的カップ形状をなしており、ディスペンサの基底を形成し、押圧手段が不不用意に押圧されることから防護するように構成されることを特徴とする請求項１乃至８のいずれか一項に記載のディスペンサ。
【請求項１０】
第２閉鎖手段は雌ねじを備えた円柱状スカートを有し、雌ねじは対応する雄ねじとかみ合うように構成され、雄ねじは容器の基底の一部を形成する円柱状壁部に設けられることを特徴とする請求項９に記載のディスペンサ。
【請求項１１】
円柱状スカート及び円柱状壁部は結合可能な湾曲歯を有し、確実に装着された時に各歯が前進して相互に係合し反対方向に回転することがないようにされていることを特徴とする請求項１０に記載のディスペンサ。
【請求項１２】
壁部は完全嵌合したときに合わせて溶着又は接着させられることを特徴とする請求項１０又は１１に記載のディスペンサ。
【請求項１３】
ブリスタパックは固形錠剤を含むことを特徴とする請求項１乃至１２のいずれか一項に記載のディスペンサ。
【請求項１４】
内方に面するブリスタパックの側面のみが破裂可能とされており、他方の側面は可撓性を備えているが、押圧手段の操作によって破裂させられないことを特徴とする請求項１乃至１３のいずれか一項に記載のディスペンサ。
【請求項１５】
内側対向側面は金属箔であることを特徴とする請求項１４に記載のディスペンサ。
【請求項１６】
密封手段は圧縮可能な密封材料の環体であることを特徴とする請求項１乃至１５のいずれか一項に記載のディスペンサ。
【請求項１７】
第１閉鎖手段と第１開口部と容器の包囲部分は、第２開口部及び第２閉鎖手段のものと実質的に同一であることを特徴とする請求項１乃至１６のいずれか一項に記載のディスペンサ。
【発明の詳細な説明】
【技術分野】
【０００１】
本発明は添加剤投入容器の形状をなすディスペンサに関する。添加剤投入容器はボトルであり、流体及び添加剤（多分にビタミン剤又は調合薬等の錠剤形状をなす）を別個に保持する手段と、錠剤をボトル内の流体に投入する手段とを備える。添加剤投入ボトルは、ボトルを調合量から再度密封した状態で恐らく少しずつ、流体及び添加剤を混合したものをボトルから取り出す手段を含む。或いは、容器は粉体に粉体を調剤するために使用される。しかしながら、実際に混合される物質は上記の例のみに限定されない。
【背景技術】
【０００２】
ディスペンサが液体収容ボトル形状をなす時には、ボトルの蓋は粉体、錠剤或いは液体等の添加剤を保持し、続いて利用者の操作によって取り付けられたボトルに添加剤を投入するように構成されており、製薬産業また最近ではスポーツドリンク産業において知られている。このような解放蓋の例は特許文献１乃至４に開示されている。
【特許文献１】国際特許出願公開第ＷＯ９８／４０２８９号パンフレット
【特許文献２】国際特許出願公開第ＷＯ００／２７７１７号パンフレット
【特許文献３】国際特許出願公開第ＷＯ９８／００３４８号パンフレット
【特許文献４】国際特許出願公開第ＷＯ９３／１４９９０号パンフレット
【発明の開示】
【発明が解決しようとする課題】
【０００３】
従来技術の装置の多くは扱いにくく、且つその寸法に起因してボトルの包装、輸送及び陳列が困難である。またボトルの容積は製品の外観を損ねる。製品の外観は、スポーツドリンク等の特定の製品では重要とされる。その他のものは複雑であり、且つ製造が困難或いは高価になる。
【課題を解決するための手段】
【０００４】
本発明は、第１開口部を有する容器と、第１開口部を密封閉鎖する第１閉鎖手段とを含むディスペンサにある。容器は、第２開口部と、第２開口部を閉鎖する第２閉鎖手段とを有する。第２閉鎖手段は、第２開口部へ向けて内方へ押圧操作可能な押圧手段と、ブリスタパックと、第２開口部を跨ぐようにブリスタパックを配置する配置手段と、ディスペンサの対象とする中身の漏出から第２開口部を十分確実に密封閉鎖する密封手段とを含む。最終用途において、容器は第１物質を保持するとともに、ブリスタパックは第２物質を保持し、押圧手段が押圧されるとブリスタパックは破裂させられて、ブリスタパックの中身は容器の中身と混合させられるように構成及び配置される。
【０００５】
好適には、ブリスタパックの周縁環体は配置手段により係合させられ、ブリスタパックは破裂させられても破裂させられなくても、密封手段と共に第２開口部の周縁を直接的に密封閉鎖する。
【０００６】
或いは、ブリスタパックは配置手段により、第２開口部を跨ぐが密封閉鎖しないように第２閉鎖手段内の適切な位置に保持されており、密封手段と共に作用する第２閉鎖手段の他の部品が第２開口部を密封閉鎖する。
【０００７】
好適には、第２開口部は容器の基底に設けられる。
好適には、押圧手段は第２閉鎖手段の一体部品である可撓性ダイアフラムの形状を備える。
【０００８】
好適には、第２閉鎖手段は防護手段を含み、防護手段は第２閉鎖手段が完全嵌合したら容器から取り外されることがないようにする。
好適には、第２閉鎖手段は後に取り外せるように容器に部分嵌合させられ、第２閉鎖手段を完全嵌合させる前、及び必要物質を容器に挿入する前にブリスタパックが付加される。
【０００９】
或いは、第２閉鎖手段は部分嵌合させられた時でさえ第２開口部を取り外し可能に密封封鎖することにより、ブリスタパックが載置させられる前に必要物質は容器に挿入させられる。
【００１０】
好適には、第２閉鎖手段は実質的カップ形状をなしており、ディスペンサの基底を形成し且つ押圧手段を少なくともディスペンサの重みによる不注意の押圧から防護するように構成される。
【００１１】
好適には、第２閉鎖手段は雌ねじを備えた円柱状スカートを有し、雌ねじは対応する雄ねじとかみ合うように構成され、雄ねじは容器の基底の一部を形成する円柱状壁部に設けられる。
【００１２】
好適には、円柱状スカート及び円柱状壁部は結合可能な鋸歯を有し、確実に装着された時には各歯が徐々に相互に係合して反対方向に回転することがないようにされている。
或いは又は更に、スカート及び壁部は合わせて溶着又は接着させられる。
【００１３】
好適には、ブリスタパックは固形錠剤を含む。
好適には、内方に面するブリスタパックの側面のみが破裂可能とされており、他方の側面は可撓性を備えているが、押圧手段の操作によって破裂させられない。
【００１４】
好適には、内側対向側面は金属箔である。
好適には、密封手段は圧縮可能な密封材料の環体である。
第２閉鎖手段及び容器は空の状態で且つ付加されるブリスタパックとは別個で販売され、ブリスタパックは使用者により取り付けられる。
【００１５】
第２閉鎖手段及び容器の一方又は両方は、ある程度再利用可能とされる。或いは、容器に保持される中身を最終使用者が容易に入手可能でない場合又は使用者に便利な場合には、付加されるブリスタパックは販売される前に取り付けられる。しかしながら一旦ブリスタパックが取り付けられると、第２閉鎖手段はもはや容器から取り外し可能ではなくなるように構成されるのが通常は好ましい。これは、一方向ねじ係合又は超音波溶接等を利用することにより達成される。
【００１６】
容器と、第１並びに第２閉鎖手段と、ブリスタパックは必要に応じて加熱可能又は冷却可能であってもよい。
【発明を実施するための最良の形態】
【００１７】
符号１のようなディスペンサには符号２のような容器が設けられ、例えば球状或いはさいころ状の形状を備える。容器は第１開口部（図示なし）及び第１開口部を密封閉鎖する第１閉鎖手段（図示なし）を有する。第１閉鎖手段は開放可能とされており、使用に際して第１閉鎖手段から容器の中身が調合される。この記載には多様な形状をなす殆どの種類のディスペンサが含まれる。
【００１８】
しかしながら、本発明のディスペンサの特徴は、容器が図１における符号３のような第２開口部を有することである。第２開口部は例えば側壁等、容器のいかなる適切な位置に
配置されてもよいが、多くの用途において適切な位置は基底にあり、開口部は下方へ向けられる。
【００１９】
第２閉鎖手段４は第２開口部３を閉鎖するように設けられる。
第２閉鎖手段は、
第２開口部３へ向けて内方へ押圧するように操作可能な押圧手段５と、
ブリスタパック６と、第２開口部３を跨ぐようにブリスタパックを配置する配置手段とを含む。
【００２０】
図１の配置手段は肩部８を含み、肩部８上には環状シール７が載置され、次にブリスタパック及び内部スカート９が載置される。更なる環状シールリング１０が設けられるとともに、シールリング７及び１０のサンドイッチ並びにブリスタパック６は実際では、肩部８及び第２開口部３の周縁１８で加圧される。図１では、明確に図示するために加圧されていないアセンブリを示す。環状密封手段は選択可能な場合がある。容器の中身がその性質から容器外へ漏出する恐れがない場合には、環状シール手段の１個が省略されてもよく、或いは環状シール部材の両方が省略されてもよい。以下に記載するように、確実な密封手段は第２閉鎖手段の他の部分により得られる。例えば、容器は液体ではなくて粉体のみを保持しており、迅速な密封が必要なくてもよい。
【００２１】
詳述する装置において、ブリスタパックは第２開口部３を跨ぎ、且つ第２開口部を密封するように記載されている。しかしながら、配置手段は単にブリスタパックを同様な位置に保持するだけで、第２開口部３を密封するように作用させられるものがなくてもよい。その結果、常にブリスタパックは容器の中身に浸されるが、破裂させられるように適切な位置に保持される。
【００２２】
押圧手段５を第２開口部へ向けて内方へ押圧することにより破裂させられる。ブリスタパックは好適には一方の側面１１のみが破裂可能とされており、側面１１は第２開口部３へ向けて内方に面するとともに、側面１１は好適には薄層アルミ箔等の金属箔である。対向側面１２は好適には可撓性プラスチック材料である。
【００２３】
押圧手段５を介して作用する圧力が側面１２及びブリスタパックの中身を介して伝達されて、側面１１を破裂させ且つブリスタパックの中身を容器内へ投入させるように、ブリスタパックはその中身を考慮した形状に適切に形成される。ブリスタパックの中身を確実に投入する最も簡易な方法は、中身を錠剤となるように圧縮することであり、錠剤状で投入することによりディスペンサの目的を達成するために満足のいくものとなる。
【００２４】
好適には、押圧手段５は第２閉鎖手段の可撓性ダイアフラム部として一体的に形成される。しかしながら別個の部品、おそらくはスナップであってもよく、スナップは所定位置に嵌合され、又は所定位置にねじ止めされる。また、適切な構成は第１出願（第５２３４０６号）に示されており、第１出願から本発明に優先権が主張されている。しかしながら、特にブリスタパック６自体が第２開口部３を跨ぐシールを形成するのでなければ、一体構成は明白な効果を有する。ブリスタパックは破裂させられても或いは破裂させられなくても、密封手段の環状リング７及び１０と共に常に第２開口部を密封閉鎖し続ける場合には、第２閉鎖手段の他の構成要素はブリスタパックを容器に確実に密封係合した状態で保持しなければならないだけで、第２開口部を密封する必要はない。
【００２５】
本発明に係る容器の可能な用途に起因して、第２密封手段は部分的に或いは完全に容器に嵌合させられるのが適切な場合もある。例えば、容器の中身を必須で混合する直前まで、ブリスタパック及び中身を取り付けることが好ましくないような用途がある。このような状況では、ブリスタパックを環状シールリング７及び１０によって容器に適切に密封す
ることなく、第２閉鎖手段が部分的に嵌合させられる必要がある。この状態は、ブリスタパックが付加され、第２閉鎖手段が取り外され、シールを適切に配置した状態でブリスタパックが挿入され、更に第２閉鎖手段が容器に完全嵌合させられた時に逆転させられる。
【００２６】
第２閉鎖手段が図示するようにカップ形状であり、円柱状スカート１３が下方へ突出して押圧手段５を不注意の押圧から確実に防護する場合には、スカートは雌ねじ１４を有する。雌ねじ１４は対応する雄ねじ１５とかみ合う。雄ねじ１５は容器２の基底の一部を形成する円柱状壁部１６に設けられる。シールリング７及び１０が部分嵌合する間に過度に圧縮させられず、続いて完全嵌合が要求される時に第２閉鎖手段４を容器２に対して更に回転させることによりスカート９を幾分変形させ、第２閉鎖手段の上縁及び容器壁部１６の下方対向部分に設けられる符号１７の結合可能な湾曲歯（図示なし）が前進するように相互に係合して逆回転を阻止するように、内縁９の高さをシールリング７及び１０の厚みと合わせて慎重に制御することによって部分嵌合を補助してもよい。このような確実性が必要な場合には、第１閉鎖手段が同様に設けられてもよい。次に、有害な混合を引き起こすブリスタパックの破裂は、２物質の混合の結果を観察しつつ、使用後のディスペンサが安全に廃棄されるような時間及び位置において行われる。このような使用が予想される利用方法としては、化学試験及び医学試験がある。
【００２７】
別の用途において、ディスペンサが販売された時にブリスタパックは当初から取り付けられ、容器から取り外されないように、第２閉鎖手段は完全嵌合させられた時に容器に溶接或いは接着までされてもよい。
【００２８】
別の用途において、ディスペンサは再利用を予定してもよく、また装着されたブリスタパックが設けられ、又は設けられなくてもよい。しかし、使用者は容器に例えば水等を充填する前に選択したブリスタパックを取り付ける。ブリスタパックは水に混合可能であるが使用直前にのみ混合すべきある種の栄養補助食品を含んでいてもよい。
【００２９】
更に別の用途において、ディスペンサには別の閉鎖手段が設けられてもよい。別の閉鎖手段は第２閉鎖手段と同じものであり、容器に形成された異なる開口を閉鎖する。開口は第１開口部であってもよく、従って例えば液体等が入れられたボトルを有することが可能である。ボトル内には、本発明を利用して２つの異なる物質が同時に又は次々に液体に投入される。明らかに、本概念はいかなる数の開口及び閉鎖手段まで拡大され得る。
【００３０】
本発明の最も重要な効果は極めて簡単な手段にあり、かかる手段によって２つの物質を分離させ且つそれらの物質をディスペンサ内で混合することができる。
本装置によれば、第１開口部に対して標準的なシッパー上蓋等の簡単な第１閉鎖手段を使用することができる。本明細書の従来技術の部分において記載したような密封装置に固有な面倒な事態は完全に回避される。
【００３１】
「ブリスタパック」という用語は、２層間で物質を挟持するあらゆる種類の囲いを含む。
【図面の簡単な説明】
【００３２】
【図１】本発明に係るディスペンサの一種を示す部分中央縦断面図。円柱ボトル状容器形状を備え、その底部には第２閉鎖手段が設けられる。第２閉鎖手段はブリスタパックと共に所定位置に図示されている（ブリスタパックは断面とされていない）。
【符号の説明】
【００３３】
１．ディスペンサ
２．容器
３．第２開口部
４．第２閉鎖手段
５．押圧手段
６．ブリスタパック
７．環状シール
８．肩部
９．内側スカート
１０．環状シールリング
１１．６の破裂側面
１２．６の可撓性プラスチック側面
１３．スカート
１４．雌ねじ
１５．雄ねじ
１６．円柱状壁部
１７．湾曲域
１８．３の周縁
【図１】
2006512257.tif 000003
【国際調査報告】
2006512257.tif 000004
2006512257.tif 000005